(57)【要約】【課題】安全性を高めること。【解決手段】実施形態に係る吐水装置は、吐水口と、開閉弁と、吐水センサと、温度センサと、制御部とを備える。吐水口は、流路を流れてきた水を吐出する。開閉弁は、流路を開閉する。吐水センサは、吐水口付近における被検知物を検知する。温度センサは、水の温度を測定する。制御部は、吐水センサおよび温度センサの少なくともいずれかの検知結果に基づいて開閉弁を制御する。また、制御部は、温度センサの検知結果に基づいて水の単位時間あたりの温度上昇を算出し、算出結果に基づいて開閉弁を制御する。【選択図】図２
2020094342.tif 000002
【特許請求の範囲】
【請求項１】
流路を流れてきた水を吐出する吐水口と、
前記流路を開閉する開閉弁と、
前記吐水口付近における被検知物を検知する吐水センサと、
前記水の温度を測定する温度センサと
前記吐水センサおよび前記温度センサの少なくともいずれかの検知結果に基づいて前記開閉弁を制御する制御部と
を備え、
前記制御部は、前記温度センサの検知結果に基づいて前記水の単位時間あたりの温度上昇を算出し、算出結果に基づいて前記開閉弁を制御すること
を特徴とする吐水装置。
【請求項２】
前記制御部は、所定の温度領域である第１領域と、前記第１領域よりも高温領域の第２領域とを設定するとともに、前記第１領域における単位時間あたりの温度上昇の閾値を前記第２領域における単位時間あたりの温度上昇の閾値よりも大きい値に設定すること
を特徴とする請求項１に記載の吐水装置。
【請求項３】
前記制御部は、前記温度センサの検知結果が予め設定された禁止温度以上の場合には前記開閉弁を閉じること
を特徴とする請求項１または２に記載の吐水装置。
【請求項４】
前記制御部は、前記温度センサの検知結果により前記開閉弁を閉じることで吐水を禁止する吐水禁止モードにおいて前記吐水禁止モードが開始されてから予め設定された解除温度を所定時間継続して検知すると、前記吐水禁止モードを解除すること
を特徴とする請求項１〜３のいずれか一つに記載の吐水装置。
【請求項５】
前記開閉弁は、前記流路において高温水が流れる給湯管に設けられる湯電磁弁と、前記流路において低温水が流れる給水管に設けられる水電磁弁とを有し、
前記制御部は、前記温度センサの検知結果により前記開閉弁を閉じることで吐水を禁止する吐水禁止モードが開始された後は前記水電磁弁のみを開くこと
を特徴とする請求項１〜４のいずれか一つに記載の吐水装置。
【請求項６】
前記制御部は、前記吐水禁止モードが開始された後は前記吐水センサの検知結果が非検知の場合に前記水電磁弁を開くこと
を特徴とする請求項５に記載の吐水装置。
【請求項７】
前記制御部は、前記吐水センサにおける、所定の検知範囲である第１検知エリアと前記吐水禁止モード中の検知範囲であり前記第１検知エリアよりも広い検知範囲である第２検知エリアとを切り替えること
を特徴とする請求項６に記載の吐水装置。
【発明の詳細な説明】
【技術分野】
【０００１】
開示の実施形態は、吐水装置に関する。
【背景技術】
【０００２】
従来、使用者の差し出した手などを検知して自動で吐水する吐水装置がある。このような吐水装置においては、高温水（湯）を扱う場合に使用者がやけどなどすることを防ぐために、たとえば、吐水管を流れる水の温度を温度センサで検知し、水の温度が所定の温度以上の場合には自動吐水を禁止する制御を行う（たとえば、特許文献１参照）。
【先行技術文献】
【特許文献】
【０００３】
【特許文献１】特開２００３−２６８８２６号公報
【発明の概要】
【発明が解決しようとする課題】
【０００４】
しかしながら、上記した従来の吐水装置は、吐水管を流れる水が所定の温度以上であることを検知してから吐水を停止するため、温度センサを通過した分の高温水が吐出され、たとえば、吐出された高温水が使用者の手にかかる可能性があるなど、安全面において改善の余地があった。
【０００５】
実施形態の一態様は、安全性を高めることができる吐水装置を提供することを目的とする。
【課題を解決するための手段】
【０００６】
実施形態の一態様に係る吐水装置は、流路を流れてきた水を吐出する吐水口と、前記流路を開閉する開閉弁と、前記吐水口付近における被検知物を検知する吐水センサと、前記水の温度を測定する温度センサと前記吐水センサおよび前記温度センサの少なくともいずれかの検知結果に基づいて前記開閉弁を制御する制御部とを備え、前記制御部は、前記温度センサの検知結果に基づいて前記水の単位時間あたりの温度上昇を算出し、算出結果に基づいて前記開閉弁を制御することを特徴とする。
【０００７】
このような構成によれば、流路を流れてきた水の単位時間あたりの温度上昇によって過昇温を検知することで、過昇温を早めに検知することができる。これにより、吐水口からの高温水の吐出をより確実に抑えることができ、安全性を高めることができる。
【０００８】
また、上記した吐水装置において、前記制御部は、所定の温度領域である第１領域と、前記第１領域よりも高温領域の第２領域とを設定するとともに、前記第１領域における単位時間あたりの温度上昇の閾値を前記第２領域における単位時間あたりの温度上昇の閾値よりも大きい値に設定することを特徴とする。
【０００９】
このような構成によれば、温度センサの検知結果が低温領域となる第１領域にある場合には、たとえば、危険とみなす（吐水を禁止する）温度までの温度上昇に長い時間を要することから、単位時間あたりの温度上昇の閾値（温度変化をあらわす傾き）を大きい値（急傾斜）に設定する。
【００１０】
一方、温度センサの検知結果が第１領域よりも高温領域の第２領域にある場合には、たとえば、危険とみなす温度までの温度上昇が短い時間であることから、単位時間あたりの温度上昇の閾値を小さい値（緩傾斜）に設定する。これにより、不要な吐水規制を行わなくて済み、通常どおり吐水可能な時間をより長く確保することができ、高温時の吐水規制および使用者の使い勝手の両立が可能となる。
【００１１】
また、上記した吐水装置において、前記制御部は、前記温度センサの検知結果が予め設定された禁止温度以上の場合には前記開閉弁を閉じることを特徴とする。
【００１２】
このような構成によれば、禁止温度以上で吐水を禁止するため、吐水口からの高温水の吐出を防止することができ、安全性をさらに高めることができる。
【００１３】
また、上記した吐水装置において、前記制御部は、前記温度センサの検知結果により前記開閉弁を閉じることで吐水を禁止する吐水禁止モードにおいて前記吐水禁止モードが開始されてから予め設定された解除温度を所定時間継続して検知すると、前記吐水禁止モードを解除することを特徴とする。
【００１４】
このような構成によれば、高温時に吐水を禁止する吐水禁止モードが自動的に解除されるため、使用者による特定の解除操作が不要となり、使い勝手が良好となる。また、温度センサのノイズなどの誤検知により、吐水禁止モードの意図しない解除を防止することができ、安全性をさらに高めることができる。
【００１５】
また、上記した吐水装置において、前記開閉弁は、前記流路において高温水が流れる給湯管に設けられる湯電磁弁と、前記流路において低温水が流れる給水管に設けられる水電磁弁とを有し、前記制御部は、前記温度センサの検知結果により前記開閉弁を閉じることで吐水を禁止する吐水禁止モードが開始された後は前記水電磁弁のみを開くことを特徴とする。
【００１６】
このような構成によれば、吐水禁止モードが開始された後、低温水を流して吐水口までに残っている高温水を排出する処理、いわゆる捨て水を行うことで、吐水禁止モードが開始されてから水の温度が下がるのを待つ必要がない。このため、吐水不能となる時間を短くすることができ、すなわち、通常どおり吐水可能な時間をより長く確保することができ、使用者の使い勝手がさらに良好となる。
【００１７】
また、上記した吐水装置において、前記制御部は、前記吐水禁止モードが開始された後は前記吐水センサの検知結果が非検知の場合に前記水電磁弁を開くことを特徴とする。
【００１８】
このような構成によれば、吐水センサが非検知の場合に、すなわち、使用者が吐水口付近にいない場合に捨て水を行うため、高温水が使用者にかかるなどの事態を防止することができ、安全性をさらに高めることができる。
【００１９】
また、上記した吐水装置において、前記制御部は、前記吐水センサにおける、所定の検知範囲である第１検知エリアと前記吐水禁止モード中の検知範囲であり前記第１検知エリアよりも広い検知範囲である第２検知エリアとを切り替えることを特徴とする。
【００２０】
このような構成によれば、広い範囲を検知可能な第２検知エリアで検知しつつ捨て水を行うため、高温水が使用者にかかるなどの事態を防止することができ、安全性をさらに高めることができる。
【発明の効果】
【００２１】
実施形態の一態様によれば、安全性を高めることができる。
【図面の簡単な説明】
【００２２】
【図１】図１は、実施形態に係る吐水装置の説明図である。
【図２】図２は、吐水禁止モードにおける処理手順の一例を示すフローチャートである。
【図３Ａ】図３Ａは、第１領域および第２領域を含む温度領域の説明図である。
【図３Ｂ】図３Ｂは、第１領域および第２領域の単位時間あたりの温度上昇の閾値の説明図である。
【図４】図４は、吐水禁止解除処理の第１の例における処理手順の一例を示すフローチャートである。
【図５】図５は、吐水禁止解除処理の第２の例における処理手順の一例を示すフローチャートである。
【図６Ａ】図６Ａは、吐水センサにおける第１検知エリアの説明図である。
【図６Ｂ】図６Ｂは、吐水センサにおける第２検知エリアの説明図である。
【図７】図７は、変形例に係る吐水装置の説明図である。
【発明を実施するための形態】
【００２３】
以下、添付図面を参照して、本願の開示する吐水装置の実施形態を詳細に説明する。なお、以下に示す実施形態によりこの発明が限定されるものではない。
【００２４】
＜吐水装置の構成＞
図１を参照して実施形態に係る吐水装置１の構成について説明する。図１は、第１実施形態に係る吐水装置１の説明図である。なお、図１には、吐水装置１の構成を、ブロック図を用いて模式的に示している。吐水装置１は、たとえば、使用者が手を差し出すと自動的に水を吐出する、いわゆる自動水栓である。
【００２５】
以下の説明において「水」は、後述する低温水（水）、高温水（湯）および湯水混合水を含む。また、以下の説明において「水」を区別する必要が場合は、低温水（または水）、高温水（または湯）および湯水混合水（または単に混合水）と表記する。
【００２６】
図１に示すように、吐水装置１は、吐水管２と、流路３と、開閉弁４と、温度調節部５と、吐水センサ６と、温度センサ７と、制御部８とを備える。
【００２７】
吐水管２は、スパウト２１を備える。スパウト２１は、吐水管２内において水が流れる流路を形成する。スパウト２１は、水の流れの下流端部に吐水口２１ａを備え、上流端部において後述する流路３から水が流れ込み、流れ込んだ水を下流端部の吐水口２１ａから吐出する。使用者は、吐水口２１ａから吐出された水で、たとえば、手などを洗うことができる。
【００２８】
流路３は、給水管３１と、給湯管３２とを備える。給水管３１は、低温水が流れる管路であり、水道などの給水源（図示せず）に接続される。給湯管３２は、高温水が流れる管路であり、給湯器などの給湯源（図示せず）に接続される。
【００２９】
開閉弁４は、流路３を開閉する。開閉弁４は、水電磁弁４１と、湯電磁弁４２とを備える。水電磁弁４１は、流路３における給水管３１に設けられる電磁弁であり、給水管３１を開閉することで、給水管３１を通水または止水する。
【００３０】
湯電磁弁４２は、流路３における給湯管３２に設けられる電磁弁であり、給湯管３２を開閉することで、給湯管３２を通水または止水する。なお、開閉弁４、すなわち、水電磁弁４１および湯電磁弁４２はそれぞれ、後述する制御部８によって駆動が制御される。
【００３１】
温度調節部５は、吐水口２１ａから吐出する水の温度を調節する。温度調節部５は、給水管３１から供給される低温水と、給湯管３２から供給される高温水とを混合することで、水の温度を調節する。温度調節部５は、低温水および高温水の混合比率を、たとえば、ディスク装置（図示せず）によって変化させることで、水の温度を調節する。
【００３２】
吐水センサ６は、吐水口２１ａ付近に設けられ、たとえば、使用者が差し出した手などを被検知物として検知する。吐水センサ６により吐水口２１ａ付近の空間（手洗い空間）において使用者の手などの被検知物が検知されると、吐水口２１ａから水が吐出する。
【００３３】
また、吐水センサ６は、たとえば、赤外線センサであり、発光素子から赤外線を投光し、反射光を受光素子で受光する。吐水センサ６は、制御部８と電気的に接続される。制御部８は、吐水センサ６において反射光が一定量以上であることで、被検知物である使用者の手などが手洗い空間にあると判断する。
【００３４】
温度センサ７は、スパウト２１内に設けられ、スパウト２１を流れる水の温度を測定する。温度センサ７は、たとえば、サーミスタであり、水の温度変化に応じて抵抗値が変化することで、水の温度を測定する。温度センサ７は、制御部８と電気的に接続される。制御部８は、温度センサ７によって予め設定された温度（禁止温度）以上が検知されると、たとえば、吐水を禁止する。なお、制御部８は、温度センサ７によって禁止温度以上が検知されると、警報器（図示せず）などに警報を発生させてもよい。
【００３５】
制御部８は、たとえば、ＣＰＵ（Central  Processing  Unit）、ＲＯＭ（Read  Only  Memory）、ＲＡＭ（Random  Access  Memory）、ＨＤＤ（Hard  Disk  Drive）、入出力ポートなどを有するコンピュータや各種の回路を含む。制御部８は、吐水センサ６および温度センサ７の少なくともいずれかの検知結果に基づいて開閉弁４を制御する。
【００３６】
制御部８は、吐水センサ６による被検知物の非検知および温度センサ７による禁止温度以上の検知の少なくともいずれかに基づいて、水電磁弁４１および湯電磁弁４２の両方を閉じる。制御部８は、吐水センサ６の検知結果が「非検知」の場合は吐水を停止する。また、制御部８は、温度センサ７の検知結果が「検知」の場合は吐水を禁止する「吐水禁止モード」を実行する。吐水禁止モードについては、図２を用いて後述する。
【００３７】
ここで、温度センサ７によって、水Ｗの温度が閾値である禁止温度を超えたことを検知してから吐水を禁止する場合、温度センサ７を通過した分の高温水Ｗ（Ｗ２）が吐水口２１ａから吐出され、吐出された高温水Ｗ２が使用者の差し出している手などにかかる可能性がある。本実施形態においては、スパウト２１を流れる水Ｗ（Ｗ１）が禁止温度に到達する、いわゆる過昇温を予測して吐水を禁止する。
【００３８】
このため、制御部８は、温度センサ７の検知結果に基づいて、水Ｗの単位時間あたりの温度上昇（温度上昇率ともいう）を算出し、算出した結果に基づいて、開閉弁４である水電磁弁４１および湯電磁弁４２を制御する。すなわち、制御部８は、水Ｗの単位時間あたりの温度上昇が予め設定された閾値を超えると、過昇温と判断して吐水を禁止する。
【００３９】
＜吐水禁止モード＞
次に、図２、図３Ａおよび図３Ｂを参照して、制御部８による吐水禁止モードにおける処理手順を説明する。図２は、吐水禁止モードにおける処理手順の一例を示すフローチャートである。なお、図２において破線で囲んだ処理が吐水禁止モードにおける処理である。図３Ａは、第１領域Ａ１および第２領域Ａ２を含む温度領域の説明図である。図３Ｂは、第１領域Ａ１および第２領域Ａ２の単位時間あたりの温度上昇の閾値（第１閾値Ｔ１および第２閾値Ｔ２）の説明図である。
【００４０】
制御部８は、図２に示すように、吐水センサ６によって人体（使用者の手など）が検知されたか否かを判定する（ステップＳ１０１）。制御部８は、吐水センサ６によって人体が検知された場合（ステップＳ１０１：Ｙｅｓ）、吐水口２１ａから水を吐出する。制御部８は、吐水センサ６によって人体が検知されない場合（ステップＳ１０１：Ｎｏ）、処理を終了する。
【００４１】
ここで、制御部８は、温度センサ７によって測定された水の温度について、図３Ａに示すように、それぞれ異なる温度領域である、第１領域Ａ１と、第２領域Ａ２と、第３領域Ａ３とを設定する。第１領域Ａ１は、３つの温度領域（第１領域Ａ１〜第３領域Ａ３）のうち最も低温領域である所定の温度領域（たとえば、３５℃未満）である。
【００４２】
第２領域Ａ２は、第１領域Ａ１よりも高温領域であり、かつ、第３領域Ａ３よりも低温領域である所定の温度領域（たとえば、３５以上４５℃未満）である。また、第３領域Ａ３は、３つの温度領域（第１領域Ａ１〜第３領域Ａ３）のうち最も高温領域であり、下限温度が禁止温度（たとえば、４５℃）に設定された所定の温度領域（たとえば、４５℃以上）である。
【００４３】
制御部８は、第１領域Ａ１において、図３Ｂに示すように、単位時間あたりの温度上昇の閾値である第１閾値Ｔ１を設定する。単位時間あたりの温度上昇の閾値とは、温度変化をあらわす傾きであり、予め設定された値（傾き）である。
【００４４】
また、制御部８は、第２領域Ａ２において、図３Ｂに示すように、単位時間あたりの温度上昇の閾値である第２閾値Ｔ２を設定する。第２閾値Ｔ２は、温度上昇の傾きが、たとえば、１０℃／ｍｓに設定される。制御部８は、図３Ｂに示すように、第１閾値Ｔ１を、第２閾値Ｔ２よりも大きい値、すなわち、傾きを急に設定する。第１閾値Ｔ１は、温度上昇の傾きが、たとえば、２０℃／ｍｓに設定される。
【００４５】
制御部８は、温度センサ７によってスパウト２１を流れる水の温度が測定されると（ステップＳ１０２）、測定された温度が、図３Ａに示す温度領域のうち第３領域Ａ３にあるか否かを判定する（ステップＳ１０３）。制御部８は、測定された温度が第３領域Ａ３にある場合（ステップＳ１０３：Ｙｅｓ）、すなわち、予め設定された禁止温度以上である場合、吐水を禁止し（ステップＳ１０４）、処理を終了する。
【００４６】
制御部８は、ステップＳ１０３の処理において、測定された温度が第３領域Ａ３にない場合（ステップＳ１０３：Ｎｏ）、測定された温度が、図３Ａに示す温度領域のうち第２領域Ａ２にあるか否かを判定する（ステップＳ１０５）。制御部８は、測定された温度が第２領域Ａ２にある場合（ステップＳ１０５：Ｙｅｓ）、すなわち、禁止温度未満であり、所定の温度領域（たとえば、３５℃以上４５℃未満）である場合、単位時間あたりの温度上昇を算出し、図３Ｂに示す第２閾値Ｔ２以上であるか否かを判定する（ステップＳ１０６）。
【００４７】
制御部８は、単位時間あたりの温度上昇が第２閾値Ｔ２以上である場合（ステップＳ１０６：Ｙｅｓ）、吐水を禁止し（ステップＳ１０７）、処理を終了する。制御部８は、単位時間あたりの温度上昇が第２閾値Ｔ２未満である場合（ステップＳ１０６：Ｎｏ）、吐水を許可し（ステップＳ１０８）、処理を終了する。
【００４８】
制御部８は、ステップＳ１０５の処理において、測定された温度が第２領域Ａ２にない場合（ステップＳ１０５：Ｎｏ）、測定された温度が、図３Ａに示す温度領域のうち第１領域Ａ１にあるか否かを判定する（ステップＳ１０９）。制御部８は、測定された温度が第１領域Ａ１にある場合（ステップＳ１０９：Ｙｅｓ）、すなわち、第２領域よりも低温領域（たとえば、３５℃未満）である場合、単位時間あたりの温度上昇を算出し、図３Ｂに示す第１閾値Ｔ１以上であるか否かを判定する（ステップＳ１１０）。
【００４９】
制御部８は、単位時間あたりの温度上昇が第１閾値Ｔ１以上である場合（ステップＳ１１０：Ｙｅｓ）、吐水を禁止し（ステップＳ１１１）、処理を終了する。制御部８は、単位時間あたりの温度上昇が第１閾値Ｔ１未満である場合（ステップＳ１１０：Ｎｏ）、吐水を許可し（ステップＳ１１２）、処理を終了する。
【００５０】
制御部８は、ステップＳ１０９の処理において、測定された温度が第１領域Ａ１にない場合（ステップＳ１０９：Ｎｏ）、吐水を許可し（ステップＳ１１３）、処理を終了する。
【００５１】
このように、実施形態に係る吐水装置１によれば、水Ｗの単位時間あたりの温度上昇、すなわち、水Ｗの温度上昇の度合いによって過昇温を検知するため、たとえば、温度の閾値を設けて直接検知するよりも、過昇温を早めに検知することができる。これにより、吐水口からの高温水の吐出をより確実に抑えることができ、安全性を高めることができる。
【００５２】
また、温度センサ７の検知結果（水の温度）が低温領域である第１領域Ａ１にある場合には、たとえば、危険とみなす禁止温度までの温度上昇に長い時間を要することから、第１閾値Ｔ１を大きい値、すなわち、傾きを急に設定する。
【００５３】
一方、温度センサ７の検知結果（水の温度）が第１領域Ａ１よりも高温領域である第２領域Ａ２にある場合には、たとえば、禁止温度までの温度上昇が短い時間であることから、第２閾値Ｔ２を小さい値、すなわち、傾きを緩やかに設定する。これにより、不要な吐水規制を行わなくて済むため、通常どおり吐水可能な時間をより長く確保することができ、高温時の吐水規制および使用者の使い勝手の両立が可能となる。
【００５４】
また、第３領域Ａ３を設定して禁止温度以上で吐水を禁止するため、吐水口２１ａからの高温水の吐出を防止することができ、安全性をさらに高めることができる。
【００５５】
上記した実施形態に係る吐水装置１では、吐水禁止モードが実行された後、吐水禁止を自動的に解除する吐水禁止解除処理が実行される。
【００５６】
＜吐水禁止解除処理＞
次に、図４および図５を参照して、制御部８による、吐水禁止モード中の吐水禁止解除処理における処理手順を説明する。図４は、吐水禁止解除処理の第１の例における処理手順の一例を示すフローチャートである。図５は、吐水禁止解除処理の第２の例における処理手順の一例を示すフローチャートである。
【００５７】
まず、図４を参照して吐水禁止解除処理の第１の例について説明する。第１の例では、制御部８は、図４に示すように、吐水禁止モード中であるか否かを判定する（ステップＳ２０１）。制御部８は、吐水禁止モードである場合（ステップＳ２０１：Ｙｅｓ）、吐水禁止モードが開始されてから、温度センサ７の検知結果に基づいて、予め設定された解除温度（たとえば、３５℃未満）が所定時間（たとえば、５秒）継続されたか否かを判定する（ステップＳ２０２）。
【００５８】
制御部８は、解除温度が所定時間継続された場合（ステップＳ２０２：Ｙｅｓ）、吐水禁止を解除する（ステップＳ２０３）。すなわち、通常モードに復帰して処理を終了する。制御部８は、ステップＳ２０２の処理において、解除温度が所定時間継続されない場合（ステップＳ２０２：Ｎｏ）、処理を終了する。なお、制御部８は、ステップＳ２０１の処理において、吐水禁止モード中でない場合にはそのまま処理を終了する。
【００５９】
このように、実施形態に係る吐水装置１によれば、吐水禁止解除処理（第１の例）を実行することで、吐水禁止モードが自動的に解除されるため、使用者による特定の解除操作が不要となり、使い勝手が良好となる。また、温度センサ７のノイズなどの誤検知により、吐水禁止モードの意図しない解除を防止することができ、安全性をさらに高めることができる。
【００６０】
次いで、図５を参照して吐水禁止解除処理の第２の例について説明する。第２の例は、吐水禁止解除処理中に、吐水口２１ａまでに残っている高温水を排出する処理、いわゆる捨て水を行う例である。第２の例では、制御部８は、図５に示すように、吐水禁止モード中であるか否かを判定する（ステップＳ３０１）。制御部８は、吐水禁止モードである場合（ステップＳ３０１：Ｙｅｓ）、吐水センサ６によって人体（使用者の手など）が検知されたか否かを判定する（ステップＳ３０２）。
【００６１】
制御部８は、吐水センサ６によって人体が検知された場合（ステップＳ３０２：Ｙｅｓ）、捨て水を行わず（ステップＳ３０３）、後述するステップＳ３０５の処理へ移行する。制御部８は、吐水センサ６によって人体が検知されない場合（ステップＳ３０２：Ｎｏ）、水電磁弁４１のみを開いて低温水をスパウト２１内へ送り込み、低温水による捨て水を行う（ステップＳ３０４）。
【００６２】
制御部８は、ステップＳ３０３の処理またはステップＳ３０４の処理が実行されると、吐水禁止モードが開始されてから、温度センサ７の検知結果に基づいて、予め設定された解除温度（たとえば、３５℃未満）が所定時間（たとえば、５秒）継続されたか否かを判定する（ステップＳ３０５）。
【００６３】
制御部８は、解除温度が所定時間継続された場合（ステップＳ３０５：Ｙｅｓ）、吐水禁止を解除する（ステップＳ３０６）。すなわち、通常モードに復帰して処理を終了する。制御部８は、ステップＳ３０５の処理において、解除温度が所定時間継続されない場合（ステップＳ３０５：Ｎｏ）、処理を終了する。なお、制御部８は、ステップＳ３０５の処理において、吐水禁止モード中でない場合にはそのまま処理を終了する。
【００６４】
このように、実施形態に係る吐水装置１によれば、吐水禁止解除処理（第２の例）を実行することで、吐水禁止モードが開始された後、低温水を流して捨て水を行うことで、吐水禁止モードが開始されてから水の温度が下がるのを待つ必要がない。このため、吐水不能となる時間を短くすることができ、すなわち、通常どおり吐水可能な時間をより長く確保することができ、使用者の使い勝手がさらに良好となる。
【００６５】
また、吐水センサ６が人体を検知していない（非検知）の場合に、すなわち、使用者が吐水口２１ａ付近にいない場合に捨て水を行うため、高温水が使用者にかかるなどの事態を防止することができ、安全性をさらに高めることができる。
【００６６】
また、制御部８は、吐水禁止解除処理中に捨て水を行う場合、吐水センサ６における検知範囲を変更する。ここで、図６Ａおよび図６Ｂを参照して、吐水禁止モード中に吐水禁止解除処理において捨て水を行う場合の吐水センサ６の検知範囲について説明する。図６Ａは、吐水センサ６における第１検知エリアＲ１の説明図である。図６Ｂは、吐水センサ６における第２検知エリアＲ２の説明図である。
【００６７】
図６Ａに示すように、制御部８は、吐水禁止モード以外のモード（通常モード）における吐水センサ６の検知範囲である第１検知エリアＲ１を設定する。図６Ｂに示すように、制御部８は、吐水禁止モード中における吐水センサ６の検知範囲である第２検知エリアＲ２を設定する。第２検知エリアＲ２は、第１検知エリアＲ１よりも広い検知範囲として設定される。
【００６８】
制御部８は、吐水禁止モードが開始されると、第１検知エリアＲ１から第２検知エリアＲ２へ切り替え、吐水禁止解除処理が終了するまで第２検知エリアＲ２を継続する。
【００６９】
このように、広い範囲を検知可能な第２検知エリアＲ２で検知しつつ捨て水を行うことで、高温水が使用者にかかるなどの事態を防止することができ、安全性をさらに高めることができる。
【００７０】
なお、上記した実施形態に係る吐水装置１では、吐水禁止モードが実行された後、吐水禁止解除処理が実行されることで、自動で吐水禁止が解除される構成としているが、たとえば、解除スイッチを別途設け、吐水禁止モードが実行された後、使用者によって手動で吐水禁止が解除される構成としてもよい。
【００７１】
＜変形例＞
次に、図７を参照して吐水装置の変形例（吐水装置１Ａ）について説明する。図７は、変形例に係る吐水装置１Ａの説明図である。なお、図７には、変形例に係る吐水装置１Ａの構成を、ブロック図を用いて模式的に示している。
【００７２】
また、変形例に係る吐水装置１Ａは、上記した実施形態に係る吐水装置１とは、吐水管２と温度調節部５との間に開閉弁４Ａを備える点で主に相違している。このため、図７に示す変形例において、上記した実施形態と同一または同等の箇所には同一の符号を付し、その説明を省略する場合がある。
【００７３】
図７に示すように、変形例に係る吐水装置１Ａは、中間流路３３と、開閉弁４Ａとを備える。中間流路３３は、水が流れる流路３の一部であり、吐水管２と温度調節部５との間に設けられる。中間流路３３には、温度調節部５において温度調節された混合水が流れる。
【００７４】
開閉弁４Ａは、混合水電磁弁４３を備える。混合水電磁弁４３は、中間流路３３に設けられ電磁弁であり、中間流路３３を開閉することで、中間流路３３を通水または止水する。
【００７５】
制御部８は、吐水センサ６による被検知物の非検知および温度センサ７による禁止温度以上の検知の少なくともいずれかに基づいて、混合水電磁弁４３を閉じる。制御部８は、吐水センサ６の検知結果が「非検知」の場合は吐水を停止する。また、制御部８は、温度センサ７の検知結果が「検知」の場合は吐水を禁止する「吐水禁止モード」を実行する。
【００７６】
また、制御部８は、温度センサ７の検知結果に基づいて、水の単位時間あたりの温度上昇を算出し、算出した結果に基づいて、開閉弁４Ａである混合水電磁弁４３を制御する。すなわち、制御部８は、水の単位時間あたりの温度上昇が予め設定された閾値を超えると、過昇温と判断して吐水を禁止する。
【００７７】
このように、変形例に係る吐水装置１Ａによれば、上記した実施形態と同様、水の温度上昇の度合いによって過昇温を検知するため、過昇温を早めに検知することができる。これにより、吐水口からの高温水の吐出をより確実に抑えることができ、安全性を高めることができる。
【００７８】
なお、変形例に係る吐水装置１Ａにおいても、流路３を形成する給水管３１および給湯管３２のそれぞれに、制御部８によって駆動制御される電磁弁が設けられてもよい。
【００７９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８０】
１    吐水装置
２１ａ  吐水口
３    流路
３１    給水管
３２    給湯管
４    開閉弁
４１    水電磁弁
４２    湯電磁弁
６    吐水センサ
７    温度センサ
８    制御部
Ａ１    第１領域
Ａ２    第２領域
Ｒ１    第１検知エリア
Ｒ２    第２検知エリア
Ｔ１    閾値（第１閾値）
Ｔ２    閾値（第２閾値）
Ｗ    水
【図１】
2020094342.tif 000003
【図２】
2020094342.tif 000004
【図３Ａ】
2020094342.tif 000005
【図３Ｂ】
2020094342.tif 000006
【図４】
2020094342.tif 000007
【図５】
2020094342.tif 000008
【図６Ａ】
2020094342.tif 000009
【図６Ｂ】
2020094342.tif 000010
【図７】
2020094342.tif 000011